(57)【要約】【課題】網戸が枠体からの外れを防止するとともに、この網戸の意匠性の向上を図った開口部装置を提供すること。【解決手段】躯体の開口部に取り付けられた四方枠の枠体１１に引き戸式の網戸１２を配置し、この網戸１２の縦框１２ｄにロック部材３２を配置し、このロック部材３２を当該縦框１１ｄの上下方向にスライドさせる操作部材３３、３４を縦框１２ｄの見付け面１２ｄ２、１２ｄ３に設け、網戸１２を閉じた状態で、操作部材３３、３４をスライド操作することによりロック部材３２と係合もしくは離脱する受け部材４５を枠体１１の縦枠１１ｃに取り付けたことを特徴とする。【選択図】図２
2007177458.tif 000002
【特許請求の範囲】
【請求項１】
躯体の開口部に取り付けられた四方枠の枠体に引き戸式の網戸を配置し、この網戸の縦框にロック部材を配置し、このロック部材を当該縦框の上下方向にスライドさせる操作部を前記縦框の見付け面に設け、前記網戸を閉じた状態で、前記操作部をスライド操作することにより前記ロック部材と係合もしくは離脱する係合部を前記枠体の縦枠に取り付けたことを特徴とする開口部装置。
【請求項２】
前記ロック部材は、前記縦框に収容されていることを特徴とする請求項１に記載の開口部装置。
【請求項３】
前記ロック部材は、このロック部材が前記係合部と係合した状態で前記縦框に係止される係止部を備えることを特徴とする請求項１または２に記載の開口部装置。
【請求項４】
前記係合部は、前記縦枠を狭持する狭持部を備え、この狭持部には当該縦枠に形成された溝に嵌る爪部が形成されていることを特徴とする請求項1乃至３のいずれかに記載の開口部装置。
【請求項５】
前記縦框の室外側にケース部を延設し、このケース部に前記ロック部を収容したことを特徴とする請求項１に記載の開口部装置。
【発明の詳細な説明】
【技術分野】
【０００１】
本発明は、四方枠の枠体に引き戸式の網戸が配置された開口部装置に関する。
【背景技術】
【０００２】
従来、躯体の開口部に取り付けられた四方枠の枠体に引き戸式の網戸を配置した開口部装置が知られている。また近年、例えば、乳幼児が自分で網戸を開いて室内からベランダ等の室外に出る事を防止するため、この網戸の開閉を禁止するロック機構を備えたものが提案されている（例えば、特許文献１参照）。この種のものでは、網戸を一対の取付用部材で狭持し、この取付用部材に当該網戸の見込み方向にロック具を進退自由に嵌挿させて構成し、このロック具を室内側に突出させると、当該ロック具がサッシの縦框に当接することにより、網戸を開くことを禁止していた。
【特許文献１】特開平１１−２９４０４４号公報
【発明の開示】
【発明が解決しようとする課題】
【０００３】
しかし、従来の構成では、ロック具がサッシに当接しているだけであるため、網戸の開閉は禁止できるものの、この網戸を枠体に固定させることはできない。従って、強風が吹いた場合には網戸が枠体から外れてしまうといった問題があった。また、従来の構成では、取付部材及びロック具が網戸の外観に露見するため、この網戸の意匠性が悪くなるといった問題があった。
そこで、本発明の目的は、上述した従来の技術が有する課題を解消し、網戸が枠体からの外れを防止するとともに、この網戸の意匠性の向上を図った開口部装置を提供することにある。
【課題を解決するための手段】
【０００４】
上記目的を達成するために、本発明は、躯体の開口部に取り付けられた四方枠の枠体に引き戸式の網戸を配置し、この網戸の縦框にロック部材を配置し、このロック部材を当該縦框の上下方向にスライドさせる操作部を前記縦框の見付け面に設け、前記網戸を閉じた状態で、前記操作部をスライド操作することにより前記ロック部材と係合もしくは離脱する係合部を前記枠体の縦枠に取り付けたことを特徴とする開口部装置。
【０００５】
この構成によれば、網戸を縦枠に固定することが可能となり、この網戸が強風等によって枠体から外れることが防止される。また、ロック部材を上下にスライドさせて操作するため、このスライド操作の際に、ロック部材が縦框から大きく突出することがなく、このロック部材が外部に露見しにくくなっているため、網戸の意匠性の向上を図ることができる。
【０００６】
前記ロック部材は、前記縦框に収容されている構成としても良い。また、前記ロック部材は、このロック部材が前記係合部と係合した状態で前記縦框に係止される係止部を備える構成としても良い。また、前記係合部は、前記縦枠を狭持する狭持部を備え、この狭持部には当該縦枠に形成された溝に嵌る爪部が形成されている構成としても良い。また、前記縦框の室外側にケース部を延設し、このケース部に前記ロック部を収容した構成としても良い。
【発明の効果】
【０００７】
本発明では、網戸の縦框にロック部材を配置し、このロック部材を当該縦框の上下方向にスライドさせる操作部を前記縦框の見付け面に設け、前記網戸を閉じた状態で、前記操作部をスライド操作することにより前記ロック部材と係合もしくは離脱する係合部を枠体の縦枠に取り付けたことにより、網戸が枠体から外れることを防止するとともに、この網戸の意匠性の向上を図ることができる。
【発明を実施するための最良の形態】
【０００８】
以下、添付図面を参照して本発明の一実施形態について説明する。図１は本実施形態にかかる引き違いサッシ（開口部装置）を示す縦断面図であり、図２は、引き違いサッシの横断面図である。
この引き違いサッシ１０は、図１に示すように、躯体に形成された開口部（不図示）に取り付けられた枠体１１と、この枠体１１に水平移動自在に設けられた網戸１２とを備えて構成されている。本実施形態では、枠体１１には上記網戸１２の室内側に外障子１３と内障子１４とが水平移動自在に配置されている。枠体１１は、アルミニウム合金製の押出形材からなる上枠１１ａと下枠１１ｂと縦枠１１ｃ、１１ｄとを方形に組んでタッピングねじ等の固定具で結合することにより構成されている。上枠１１ａには、網戸１２、外障子１３、内障子１４の上縁部がそれぞれ嵌め込まれる網戸レール６０、外レール６１、内レール６２が垂設されており、下枠１１ｂには、網戸１２、外障子１３、内障子１４の下縁部がそれぞれ載置される網戸レール６３、外レール６４、内レール６５が立設されている。
【０００９】
外障子１３は、上框１３ａと下框１３ｂと縦框１３ｃと外召合せ框１３ｄとをそれぞれ方形に組み合わせて構成し、この縦框１３ｃと外召合せ框１３ｄとの間に中桟１３ｅが取り付けられている。これら各框１３ａ〜１３ｄ及び中桟１３ｅの内周面には、ガラスパネル１５、１５が配置されている。また、内障子１４は、上框１４ａと下框１４ｂと縦框１４ｃと内召合せ框１４ｄとをそれぞれ方形に組み合わせて構成し、この縦框１４ｃと内召合せ框１４ｄとの間に中桟１４ｅが取り付けられている。これら各框１４ａ〜１４ｄ及び中桟１４ｅの内周面には、ガラスパネル１６、１６が配置されている。
【００１０】
本実施形態では、網戸１２は枠体１１の室外側に張り出して配置された持ち出し型の網戸であり、この網戸１２は、上框１２ａと下框１２ｂと縦框１２ｃ、１２ｄとをそれぞれ方形に組み合わせて構成し、これら縦框１２ｃ、１２ｄとの間に中桟１２ｅが取り付けられている。これら各框１２ａ〜１２ｄ及び中桟１２ｅの内周面には、パッキン１８を介して網１７、１７が張られて設けられている。上框１２ａの室内側には、上記網戸レール６０が嵌め込まれる振れ止め２０が形成され、下框１２ｂの室内側には、上記網戸レール６３上を転動する戸車２１が回転自在に支持されている。
【００１１】
このような構成において、網戸１２の縦框１２ｄには、この網戸１２の開閉を禁止するロック機構３１が設けられている。このロック機構３１は、図３Ａ、Ｂに示すように、網戸１２の縦框１２ｄに収容されたロック部材３２と、このロック部材３２と嵌合し、縦枠１１ｃに取り付けられた受け部材４５（係合部）とを備える。ロック部材３２は、図３Ａに示すように、縦框１２ｄに収容されるロック部材本体３２Ａと、このロック部材本体３２Ａに連設され、当該縦框１２ｄの見込面１２ｄ１から突出する軸部３２Ｂ（図４）とを備える。この軸部３２Ｂの先端には当該軸部３２Ｂよりも拡径したフランジ３２Ｃが形成されている。
【００１２】
また、縦框１２ｄの見付け面１２ｄ２、１２ｄ３には、台座３５、３６を介して、ロック部材３２を上下方向にスライドさせる第1及び第２操作部材（操作部）３３、３４が設けられている。この第１操作部材３３は、当該操作部材３３の背面側に延出する一対の係止片３７、３８を備え、これら係止片３７、３８の先端部にはロック部材本体３２Ａに形成された開口部４１に嵌合する爪３７Ａ、３８Ａが形成されている。また、第２操作部材３４は、当該操作部材３４の背面側に延出する一対の係止片３９、４０を備え、これら係止片３９、４０の先端部には、上記第１操作部材３３の係止片３７、３８に形成された溝部３７Ｂ、３８Ｂに嵌合する爪３９Ａ、４０Ａが形成されている。
【００１３】
一方、受け部材４５は、縦枠１１ｃの室外側に設けられた片４２に取り付けられる支持部材４３と、この支持部材４３に取り付けられ、上記ロック部材３２のフランジ３２Ｃが嵌合する受け部本体４４とを備える。この受け部本体４４は、上記フランジ３２Ｃを収容可能に中空構造に形成され、当該受け部本体４４の前面には、上記ロック部材３２の軸部３２Ｂが案内される溝部４４Ａが形成されている。この溝部４４Ａは、下方に向けて開放しており、ロック本体３２を上方に移動させることによって、このロック部材３２のフランジ３２Ｃが受け部本体４４に収容されるようになっている。
【００１４】
また、支持部材４３は、略コ字状に屈曲させて上記縦枠１１ｃの片４２を狭持する狭持部４３Ａを備える。この狭持部４３Ａには、支持部材４３を片４２に取り付けた際に、この片４２に形成されている溝４２Ａに嵌る爪部４３Ａ１が形成されている。この構成では、溝４２Ａは、例えば、網戸のアタッチメントを縦枠１１ｃに取り付ける場合に利用されるものであり、この縦枠１１ｃの片４２の長手方向に沿って形成されている。従って、この溝４２Ａを利用することによって受け部材４５を容易に縦枠１１ｃに取り付けて固定することができる。
【００１５】
次に、ロック機構３１の組み立て手順を説明する。
縦框１２ｄの見込面１２ｄ１に形成された開口を通じて、ロック部材３２をこの縦框１２ｄの内部に収容するとともに、当該縦框１２ｄの見付け面１２ｄ２に台座３５を宛がう。そして、台座３５及び上記縦框１２ｄに形成された開口５１、５２を通じて、第１操作部材３３を縦框１２ｄに挿入し、この第１操作部材３３の係止片３７、３８の爪３７Ａ、３８Ａをロック部材本体３２Ａの開口部４１に引掛けて固定する。さらに、縦框１２ｄの反対側の見付け面１２ｄ３に台座３６を宛がい、この台座３６及び上記縦框１２ｄに形成された開口５３、５４を通じて、第２操作部材３４を縦框１２ｄに挿入する。そして、この第２操作部材３４の係止片３９、４０の爪３９Ａ、４０Ａを、上記第１操作部材３３の係止片３７、３８に形成された溝部３７Ｂ、３８Ｂに引掛けて固定する。
【００１６】
一方、受け部材４５は、支持部材４３と受け部本体４４とを嵌め合わせて組み立て、上記支持部材４３の狭持部４３Ａで縦枠１１ｃの片４２を挟んで、この狭持部４３Ａの爪部４３Ａ１が上記片４２の溝４２Ａに引っかかるまで嵌めこむ。この際、支持部材４３をプラスチックハンマ等で叩いて嵌めこむと取り付けが容易となる。この構成によれば、支持部材４３を縦枠１１ｃに取り付けるとともに、網戸１２を所定のものに交換するだけで、枠体１１に工事を施すことなく網戸にロック機能を有することができる。また、建物を建築する際には、図２に示すように、縦枠１１ｃと外壁８０との間にシール部材８１を配置する必要があるが、この構成によれば、シール部材８１を配置した後に受け部材４５を取り付けることができるため、シール部材８１の配置作業を容易に行うことが可能となる。
【００１７】
本実施形態では、縦框１２ｄの両側の見付け面１２ｄ２、１２ｄ３に、操作部材３３、３４を配置しているため、室内側からだけでなく、室外側（例えばベランダ）からも網戸１２の開閉を禁止することができる。従って、例えば、乳幼児を室内に残したまま母親がベランダで作業する場合であっても、乳幼児が自分で網戸１２を開けて外に出てしまうことが防止される。この場合、上記ロック機構３１は、乳幼児の手の届かない高さ（例えば床面から約１５００ｍｍ）に設けることが望ましい。また、本実施形態では、室内側及び室外側両方に操作部材３３、３４を設ける構成としたが、室外側または室内側の一方に操作部材を設ける構成としても良い。この場合には、操作部材を設けたい側に第１操作部材３３を配置すると、この第１操作部材３３によってロック部材３２を上下方向にスライド操作可能となる。
【００１８】
また、受け部材４５は、受け部本体４４の前面に形成された溝部４４Ａが下方に向けて開放しているため、ロック部材３２が重力で下方に落下すると、網戸１２のロックが解除されてしまう。このため、本実施形態では、ロック部材３２は、図５Ａ、Ｂに示すように、縦框１２ｄの見込面１２ｄ１の上下方向に延在する係止部５１を備え、この係止部５２の裏面に形成された突起５２Ａが縦框１２ｄの見込面１２ｄ１に形成された係止孔５３に嵌ることによって、上記ロック部材３２が下方に落下することを防止している。
この突起５２Ａ及び当該突起５２Ａが嵌める係止孔５３は、ロック部材３２を受け部材４５に係合させた状態（ロック状態：図５Ａ）で保持する位置に形成されている。また、係止部５１の裏面には、ロック部材３２を受け部材４５から離脱させた状態（解除状態：図５Ｂ）で保持する突起５３が形成され、縦框１２ｄの見込面１２ｄ１には、この突起５２Ｂが嵌る係止孔５４が形成されている。これら突起５２Ａ、５２Ｂと係止孔５３、５４により、ロック部材３２を操作する際にクリック感を得ることができるため、ユーザはロック部材３２がロック状態にあるか否かを触覚を通じて感じることができる。
【００１９】
また、縦框１２ｄの見込面１２ｄ１には、図４に示すように、当該縦框１２ｄの見付け方向に延出する一対の片５５、５６が形成され、これら一対の片５５、５６の長さは、上記ロック部材３２の軸部３２Ｂ及びフランジ部３２Ｃの突出量よりも長く設定されている。これによれば、ロック部材３２の軸部３２Ｂ及びフランジ３２Ｃは、これら一対の片５５、５６に隠されるため、ロック部材３２を上下にスライドさせる際に、当該軸部３２Ｂ及びフランジ３２Ｃが外部に露見しにくくなり、網戸１２の意匠性の向上を図ることができる。
【００２０】
次に、本実施形態の動作について説明する。
操作部材３３を下方に下げた状態では、図６Ａに示すように、ロック部材３２のフランジ３２Ｃと受け部材４５の受け部本体４４の溝部４４Ａとが嵌っていないため、網戸１２は解除状態にあり、この網戸１２を自由に開閉することができる。この状態で網戸１２を閉じると、図６Ｂに示すように、受け部材４５の受け部本体４４が網戸１２の縦框１２Ｄの片５５、５６の間に収容される。ここで、操作部材３３、３４を上方にスライド操作すると、図６Ｃに示すように、この操作部材３３、３４に連結されたロック部材３２のフランジ３２Ｃが上方にスライドし、このフランジ３２Ｃが受け部本体４４の溝部４４Ａに嵌めこまれ、ロック部材３２が受け部材４５に嵌合する。従って、網戸１２を枠体１１に固定することができるため、この網戸１２が強風等によって枠体１１から外れることを防止できる。
【００２１】
本実施形態によれば、躯体の開口部に取り付けられた四方枠の枠体１１に引き戸式の網戸１２を配置し、この網戸１２の縦框１２ｄにロック部材３２を配置し、このロック部材３２を当該縦框１１ｄの上下方向にスライドさせる操作部材３３、３４を縦框１２ｄの見付け面１２ｄ２、１２ｄ３に設け、網戸１２を閉じた状態で、操作部材３３、３４をスライド操作することによりロック部材３２と係合もしくは離脱する受け部材４５を枠体１１の縦枠１１ｃに取り付けたため、網戸１２を縦枠１１に固定することが可能となり、この網戸１２が強風等によって枠体１１から外れることを防止できる。また、本実施形態によれば、ロック部材３２を上下にスライドさせて操作するため、このスライド操作の際に、ロック部材３２の軸部３２Ｂ及びフランジ３２Ｃが縦框１２ｄから大きく突出することがなく、これら軸部３２Ｂ及びフランジ３２Ｃが外部に露見しにくくなっているため、網戸１２の意匠性の向上を図ることができる。
【００２２】
また、本実施形態によれば、ロック部材３２は縦框１２ｄに収容されているため、このロック部材が縦框１２ｄの外部に露見しない。これによれば、従来の構成に比べて、縦框１２ｄのデザインのバリエーションが増えるため、意匠性の向上を図ることができる。
【００２３】
また、本実施形態によれば、ロック部材３２は、このロック部材３２が受け部材４５と嵌合した状態で縦框１２ｄに係止される係止部５１を備えているため、ロック部材３２が重力によって下方に落下してロックが解除されることを防止できる。また、本実施形態によれば、受け部材４５は、縦枠１１ｃを狭持する狭持部４３Ａを備え、この狭持部４３Ａには当該縦枠１１ｃに形成された溝４２Ａに嵌る爪部４３Ａ１が形成されているため、受け部材４５を縦枠１１ｃにしっかりと固定することができる。従って、この受け部材４５に網戸１２のロック部材３２を係合させることにより、網戸１２を縦枠１１に固定することが可能となり、この網戸１２が強風等によって枠体１１から外れることを防止できる。
【００２４】
上述した実施形態は、あくまでも本発明の一態様にすぎず、本発明の範囲内で任意に変形可能である。例えば、本実施形態では、持ち出し型の網戸にロック機構３１を搭載した構成について説明したが、これに限るものではなく、網戸１２が枠体１１内に配置されるものに適用することもできる。この場合には、図７に示すように、網戸１２の縦框１２ｄが枠体の片４２に当接してしまうため、ロック部材３２を縦框１２ｄに収容することはできない。このため、縦框１２ｄの室外側にケース本体（ケース部）９０にロック部材３２を収容する構成としても良い。この構成では、室外側にケース本体９０が延出するが、このケース本体９０は、室内側には露見しないため、従来の構成に比べて、縦框１２ｄのデザインのバリエーションが増えることにより、意匠性の向上を図ることができる。
【００２５】
また、本実施形態では、網戸１２の一方の縦框１２ｄにロック部材３２を配置した構成について説明したが、これに限るものではなく、他方の縦框１２ｃ、または両方の縦框１２ｃ、１２ｄにロック部材３２を収容するとともに、当該縦框１２ｃ、１２ｄに対応する縦枠１１ｃ、１１ｄに受け部材４５を取り付ける構成としても良い。また、本実施形態では、ロック部材３２にフランジ３２Ｃを形成し、受け部本体４４に溝部４４Ａを形成する構成について説明したが、これらフランジ３２Ｃ及び溝部４４をそれぞれ逆に形成する構成としても良い。また、支持部材４３は、縦枠１１ｃを狭持する狭持部４３Ａを備える構成について説明しているが、これに限るものではなく、縦枠１１ｃに例えばねじ止めする構成としても良い。
【図面の簡単な説明】
【００２６】
【図１】本発明の実施の形態である引き違いサッシの縦断面図である。
【図２】引き違いサッシの横断面図である。
【図３】ロック機構の分解斜視図である。
【図４】ロック部材を収容した縦框の斜視図である。
【図５】Ａは、ロック部材の係止部がロック状態で保持されている断面図であり、Ｂは、ロック部材の係止部が解除状態で保持されている断面図である。
【図６】Ａは網戸が開放した状態を示す側面図であり、Ｂは網戸が閉じた状態を示す側面図であり、Ｃは網戸のロック状態を示した側面図である。
【図７】引き違いサッシの変形例を示した横断面図である。
【符号の説明】
【００２７】
１０  引き違いサッシ（開口部装置）
１１  枠体
１１ｂ  下枠
１１ｃ、１１ｄ  縦枠
１２  網戸
１２ｃ、１２ｄ  縦框
３１  ロック機構
３２  ロック部材
３３、３４  操作部材（操作部）
４５  受け部材（係合部）
９０  ケース本体（ケース部）
【図１】
2007177458.tif 000003
【図２】
2007177458.tif 000004
【図３】
2007177458.tif 000005
【図４】
2007177458.tif 000006
【図５】
2007177458.tif 000007
【図６】
2007177458.tif 000008
【図７】
2007177458.tif 000009